(57)【要約】    【課題】合成カンナビノイドを簡単に検知する方法を提供する。    【解決手段】試験片２０と吸着体３とを第一の抽出液６ａに入れて、試験片２０に含有される化合物を着色させずに吸着体３に移行させ、吸着体３と変色体９とを第二の抽出液６ｂに入れて、吸着体３に付着している化合物を変色体９に移行させる。合成カンナビノイドには、酸に触れると色変化が発生する検知対象化合物があり、吸着体３に酸を付着させておくと、試験片２０に検知対象化合物が含有されている場合、色変化が発生するので、試験片２０に合成カンナビノイドが含有されているか否かが簡単に分かる。【選択図】    図３
2016014639.tif 000002
【特許請求の範囲】
【請求項１】
可視光又は紫外光のいずれか一方又は両方を照射したときの色が、酸性の変色薬と接触する前と接触した後とで変わる検知対象化合物が試験片に含有されているか否かを検知する合成カンナビノイドの検知方法であって、
試験片が浸漬された無極性溶媒である第一の抽出液と疎水性の吸着体とを接触させる物質移行工程と、
前記第一の抽出液から分離された前記吸着体を、無極性溶媒である第二の抽出液と、前記変色薬が付着された粉体である変色体とを混合する変色工程と、を有し、前記変色体の色変化の有無の判断から、前記試験片に前記検知対象化合物が含有されていたか否かを判断する合成カンナビノイドの検知方法。
【請求項２】
前記吸着体に可視光を照射し、呈色の有無から色変化の有無を判断する請求項１記載の合成カンナビノイドの検知方法。
【請求項３】
前記吸着体に紫外光を照射し、発色の有無から色変化の有無を判断する請求項１記載の合成カンナビノイドの検知方法。
【請求項４】
前記物質移行工程では、前記第一の抽出液に、前記試験片と前記吸着体とを入れて混合する請求項１乃至請求項３のいずれか１項記載の合成カンナビノイドの検知方法。
【請求項５】
前記変色薬には、硫酸又はリン酸の少なくとも一方が含まれる請求項１乃至請求項４のいずれか１項記載の合成カンナビノイドの検知方法。
【請求項６】
前記変色体にはシリカゲル粒子から成る粉体を用いる請求項１乃至請求項５のいずれか１項記載の合成カンナビノイドの検知方法。
【請求項７】
下記化学式(１)、
【化１】
2016014639.tif 000022
(R1は水素原子、ハロゲン原子、アルコキシ基、又は炭化水素である。R2は、水素原子、炭化水素であり、又、同R2は、ハロゲン原子、ニトリル基、ヒドロキシ基、又はアセチルオキシ基(-OCOCH3)を置換基に有する炭化水素である。R3は、水素、炭化水素、ハロゲン原子、又は、ハロゲン原子を置換基に含む炭化水素である)に示すナフトイルインドール骨格を有する合成カンナビノイドを含有する可能性がある物体を前記試験片に用いる請求項１乃至請求項６のいずれか１項記載の合成カンナビノイドの検知方法。
【請求項８】
下記化学式(２)、
【化２】
2016014639.tif 000023
(R4は炭化水素、又は置換基を有する炭化水素であり、R5は水素原子、炭化水素、又は、ハロゲン原子を置換基に有する炭化水素である)に示すインダゾール骨格を有するカルボキサミド化合物である合成カンナビノイドを含有する可能性がある物体を前記試験片に用いる請求項１乃至請求項６のいずれか１項記載の合成カンナビノイドの検知方法。
【請求項９】
インドール骨格を有するカルボキサミド化合物である合成カンナビノイドを含有する可能性がある物体を前記試験片に用いる請求項１乃至請求項６のいずれか１項記載の合成カンナビノイドの検知方法。
【請求項１０】
インドール骨格を有するカルボキシエステル化合物である合成カンナビノイドを含有する可能性がある物体を前記試験片に用いる請求項１乃至請求項６のいずれか１項記載の合成カンナビノイドの検知方法。
【請求項１１】
請求項１乃至１０のいずれか１項記載の合成カンナビノイドの検知方法を行うための検知装置であって、
前記検知装置は、
前記吸着体と、
前記物質移行工程において前記試験片と前記第一の抽出液と前記吸着体とを入れる第一の容器と、
前記第一の容器から取り出された前記吸着体と前記第二の抽出液と前記変色体とを入れる第二の容器と、
を有する検知装置。
【請求項１２】
紫外光照射ランプを有する請求項１１記載の検知装置。
【発明の詳細な説明】
【技術分野】
【０００１】
本発明は、合成カンナビノイドを検知する検知方法と、その検知方法を行うための検知装置に関する。
【背景技術】
【０００２】
大麻、麻薬、覚せい剤は、それぞれ大麻取締法、麻薬及び向精神薬取締法、覚せい剤取締法で定義され、使用や所持が禁止されているが、定義外の化合物を取り締まる薬事法や東京都薬物の濫用防止に関する条例により、法で規定する指定薬物と条例で規定する知事指定薬物は、麻薬や覚せい剤と同様に、製造・販売だけではなく、個人の所持・使用も平成26年4月から禁止された。
【０００３】
そのような薬物を使用すると、幻覚や異常な興奮状態におちいり、事故や犯罪を引き起こしてしまったり、薬物を摂取した後、車の運転をして歩行者をはねる等の事故を発生させたり、また、摂取した者が死亡してしまう等の事件が多数発生している。
【０００４】
このような薬物を取り締まるために、疑いを持たれた者が所持する物の成分を検査することが求められている。大麻や覚せい剤等では、現場で簡易検査を行うことができる検知装置が用いられているが、いわゆる脱法ハーブと呼ばれる植物片に対しては、分析室に於いて成分の分析はできるものの、現場で簡単に検査できる検知装置や検知方法が得られていない。
【０００５】
大麻や合成カンナビノイドを検知する技術としては下記の文献と同様の技術がある。
【先行技術文献】
【特許文献】
【０００６】
【特許文献１】特表２０１１−５２４０１３号
【発明の概要】
【発明が解決しようとする課題】
【０００７】
本発明は上記従来技術の不都合を解決するために創作されたものであり、その目的は、合成カンナビノイドの含有の有無を検知できる検知方法と検知装置を提供することにある。
【課題を解決するための手段】
【０００８】
上記課題を解決するために、本発明は、可視光又は紫外光のいずれか一方又は両方を照射したときの色が、酸性の変色薬と接触する前と接触した後とで変わる検知対象化合物が試験片に含有されているか否かを検知する合成カンナビノイドの検知方法であって、試験片が浸漬された無極性溶媒である第一の抽出液と疎水性の吸着体とを接触させる物質移行工程と、前記第一の抽出液から分離された前記吸着体を、無極性溶媒である第二の抽出液と、前記変色薬が付着された粉体である変色体とを混合する変色工程と、を有し、前記変色体の色変化の有無の判断から、前記試験片に前記検知対象化合物が含有されていたか否かを判断する合成カンナビノイドの検知方法である。
本発明は、前記吸着体に可視光を照射し、呈色の有無から色変化の有無を判断する合成カンナビノイドの検知方法である。
本発明は、前記吸着体に紫外光を照射し、発色の有無から色変化の有無を判断する合成カンナビノイドの検知方法である。
本発明は、前記物質移行工程では、前記第一の抽出液に、前記試験片と前記吸着体とを入れて混合する合成カンナビノイドの検知方法である。
本発明は、前記変色薬には、硫酸又はリン酸の少なくとも一方が含まれる合成カンナビノイドの検知方法である。
本発明は、前記変色体にはシリカゲル粒子から成る粉体を用いる合成カンナビノイドの検知方法である。
本発明は、下記化学式(１)、
【化１】
2016014639.tif 000003
(R1は水素原子、ハロゲン原子、アルコキシ基、又は炭化水素である。R2は、水素原子、炭化水素であり、又、同R2は、ハロゲン原子、ニトリル基、ヒドロキシ基、又はアセチルオキシ基(-OCOCH3)を置換基に有する炭化水素である。R3は、水素、炭化水素、ハロゲン原子、又は、ハロゲン原子を置換基に含む炭化水素である)に示すナフトイルインドール骨格を有する合成カンナビノイドを含有する可能性がある物体を前記試験片に用いる合成カンナビノイドの検知方法である。
本発明は、下記化学式(２)、
【化２】
2016014639.tif 000004
(R4は炭化水素、又は置換基を有する炭化水素であり、R5は水素原子、炭化水素、又は、ハロゲン原子を置換基に有する炭化水素である)に示すインダゾール骨格を有するカルボキサミド化合物である合成カンナビノイドを含有する可能性がある物体を前記試験片に用いる合成カンナビノイドの検知方法である。
本発明は、インドール骨格を有するカルボキサミド化合物である合成カンナビノイドを含有する可能性がある物体を前記試験片に用いる合成カンナビノイドの検知方法である。
本発明は、インドール骨格を有するカルボキシエステル化合物である合成カンナビノイドを含有する可能性がある物体を前記試験片に用いる合成カンナビノイドの検知方法である。
本発明は、上記いずれか記載の合成カンナビノイドの検知方法を行うための検知装置であって、前記検知装置は、前記吸着体と、前記物質移行工程において前記試験片と前記第一の抽出液と前記吸着体とを入れる第一の容器と、前記第一の容器から取り出された前記吸着体と前記第二の抽出液と前記変色体とを入れる第二の容器と、を有する検知装置である。
本発明は、紫外光照射ランプを有する検知装置である。
【０００９】
本発明は上記のように構成されており、本発明は、酸に接触させて可視光又は紫外光のいずれか一方又は両方を照射すると、酸性の変色薬に接触する前の色とは異なる色を呈色又は発色する検知対象化合物を、試験片が含有しているか否かを検知する合成カンナビノイドの検知方法であり、検知対象化合物の移行工程と、変色工程とを有している。
【００１０】
本発明は、検知対象化合物を溶解させる無極性溶媒である第一、第二の抽出液が用いられており、検知対象化合物の移行工程では、試験片を第一の抽出液に浸漬させ、試験片に含有されている化合物を溶解可能な第一の抽出液に抽出させ、その第一の抽出液に疎水性の吸着体を接触させ、第一の抽出液に抽出された化合物を、吸着体に付着させる。
【００１１】
次に、第一の抽出液から第一の抽出液中の化合物が付着された吸着体を分離させた後、変色工程では、その吸着体と、無極性溶媒である第二の抽出液と、変色薬が付着された粉体である変色体とを混合し、吸着体に付着した化合物を第二の抽出液に溶出させ、変色体に付着させると、変色体に付着した化合物は、変色体に付着した変色薬と接触する。
【００１２】
可視光と紫外光のいずれか一方又は両方を変色体に照射すると、変色体に付着した化合物が検知対象化合物であった場合には、変色体は、第二の抽出液中の化合物が付着する前と後とで呈色又は発色の色が異なり、つまり変色するが、検知対象化合物ではなかった場合には、変色しない。
【００１３】
従って、本発明方法を行う前と後との変色体の色の変化を観察すれば、色変化を認めるときに試験片に検知対象化合物が含まれていたと判断し、色変化が認められないときには試験片に検知対象化合物が含まれていないと判断することができる。
【００１４】
変色体に可視光を照射したときの呈色の有無によって色変化の有無を判断してもよいし、紫外光を照射したときの発色の有無によって色変化の有無を判断してもよい。
同じ変色体に可視光を照射し、呈色の有無に関わらず、紫外光を照射して色変化の有無を判断することが望ましい。
【発明の効果】
【００１５】
大型の測定装置を用いずに、試験片に検出対象化合物が含有されているか否かを判断することができる。
【図面の簡単な説明】
【００１６】
【図１】（ａ）第一、第二の容器  （ｂ）第一、第二の容器の蓋
【図２】吸着体
【図３】ビーカーに配置された第一、第二の抽出液
【図４】ガラス管内に封入された変色体
【図５】試験片
【図６】検知対象化合物を試験片から吸着体に移行させるときの第一の容器
【図７】検知対象化合物を吸着体から変色体に移行させるときの第二の容器
【発明を実施するための形態】
【００１７】
本発明の検知装置を説明する。
図１〜４には、本発明の検知装置に含まれる装置が示されており、図１には、高さと底面の直径が数ｃｍの大きさの第一の容器１ａが示され、また、第一の容器１ａとは別の容器である第二の容器１ｂも示されている。
【００１８】
また、図２には、白色の吸着体３が示されており、図３には、第一のビーカー５ａに配置された第一の抽出液６ａ又は、第二のビーカー５ｂに配置された第二の抽出液６ｂが示され、図４には、ガラス管７内に封入された変色体９が示されている。
【００１９】
図５は、検知対象化合物を含有するか否かが判断される試験片２０であり、通常、試験片２０は、植物を乾燥したような繊維状の物体であるが、樹脂状の固体や液体であっても、本発明の試験片２０に含まれる。
【００２０】
先ず、その試験片２０と、第一の抽出液６ａと、吸着体３とを第一の容器１ａに入れる。
第一、第二の抽出液６ａ、６ｂは有機溶剤であり、水分を含まず、検知対象化合物を溶解させるが、水溶性色素を溶解させない無極性溶媒が用いられている。
【００２１】
ここで、図６に示すように、蓋２ａによって第一の容器１ａを封止し、第一の容器１ａから液体が流出しないようにした状態で第一の容器１ａを振とうさせると、試験片２０から第一の抽出液６ａ中に試験片２０に含有されていた化合物が溶出されることで、試験片２０の化合物が第一の抽出液６ａ中に抽出される。
【００２２】
振とうせずに第一の抽出液６ａに試験片２０を入れた状態で放置し、試験片２０から化合物を第一の抽出液６ａ中に抽出してもよい。
【００２３】
また、第一の抽出液６ａに、試験片２０と吸着体３とを一緒に入れてもよいし、第一の抽出液６ａに試験片２０を入れ、試験片２０に含有される化合物を第一の抽出液６ａ中に抽出した後、吸着体３を第一の抽出液６ａ中に入れるようにしてもよい。
【００２４】
吸着体３は、検知対象化合物が付着する材料であり、水を通さない疎水性を有し、水溶性色素が付着しない材料を用いることができる。試験片２０から第一の抽出液６ａ中に溶出する化合物は有色ではなく、溶出した化合物が吸着体３に付着しても吸着体３が着色されることは無いが、例えばセルロースのような親水性材料の濾紙は植物に含有される水溶性色素を吸着し、濾紙が着色されてしまうので、親水性材料の濾紙は本発明に適しているとは言えない。
【００２５】
ここでは、疎水加工された濾紙が用いられており、他には疎水性材料の濾紙、不織布等も用いることができる。
【００２６】
試験片２０が植物の場合は、試験片２０に含有される葉緑素等の水溶性色素は、わずかに第一の抽出液６ａに溶出するため、第一の抽出液６ａはわずかに着色されることがあるが、水溶性の色素は吸着体３には付着しない。検知対象化合物は吸着体３に付着するが、無色であるため、吸着体３は着色されない。
【００２７】
次に、蓋２ａを開け、第一の容器１ａの第一の抽出液６ａの中から吸着体３を取り出す。
ガラス管７の先端を切断して変色体９を取り出せるようにしておき、第一の容器１ａから取り出した吸着体３と、ガラス管７から取り出した変色体９と、ビーカー５ｂに配置された第二の抽出液６ｂとを第二の容器１ｂの中に入れ、混合させる。ここで、第二の容器１ｂを振とうしてもよい。
【００２８】
変色体９は、シリカゲル、アルミナ、珪藻土等の粒子に変色薬が付着された粉体であり、ここでは、変色薬として濃硫酸が用いられており、粉体状のシリカゲル粒子に濃硫酸が振りかけられて混合され、硫酸が変色薬として付着した粉体状のシリカゲル粒子が変色体９として用いられている。
【００２９】
変色薬が付着されていることから、変色体９にはガスや水分が吸着され易いので、変色体９を第二の抽出液６ｂに入れる直前までガラス管７内部に封止された状態を維持させ、変色体９が大気に接触しないようにしておくことが望ましい。
【００３０】
検知対象化合物と接触する前の変色体９は、可視光と紫外光のいずれか一方又は両方が照射された場合に白色である。また、検知対象化合物を含有しない第二の抽出液６ｂ中に浸漬された場合も、変色体９の色変化は無く、白色である。
【００３１】
なお、吸着体３についても、検知対象化合物が付着する前と、検知対象化合物が付着した後とで可視光と紫外光のいずれか一方又は両方を照射しても、白色である。吸着体３は、第一、第二の抽出液６ａ、６ｂの中に浸漬する前と後とも白色である。
【００３２】
図７に示すように、第二の容器１ｂ内に配置された第二の抽出液６ｂに、化合物が試験片２０から移行されて付着した吸着体３と、変色体９とが浸漬され、吸着体３と変色体９とが同じ第二の抽出液６ｂに接触すると、吸着体３に付着した化合物が、吸着体３から第二の抽出液６ｂに溶出し、変色体９に移行して付着する。第二の容器１ｂは、蓋２ｂをして振とうしてもよい。
【００３３】
ここで、本発明の検知対象化合物は、可視光又は紫外光のいずれか一方又は両方を照射したときの色が、変色薬に接触する前と接触した後とでは変わる物質であり、試験片２０に検知対象化合物が含有されていた場合は、試験片２０から吸着体３を介して変色体９に付着した化合物は検知対象化合物であり、変色体９に付着した化合物は変色体９に付着した変色薬に接触するので、可視光又は紫外光のいずれか一方又は両方を照射したときの検知対象化合物の呈色又は発色により、変色体９は色変化する。つまり、変色薬と接触する前には白色であった変色体９は可視光又は紫外光のいずれか一方又は両方の照射によって白色では無くなる。
変色体９に付着した化合物が検知対象化合物ではなかった場合は、色変化は無く、白色のままである。
【００３４】
下記(１)式の検知対象化合物は、可視光による黄色の呈色又は紫外光による緑色の発色が確認されている。
【００３５】
【化３】
2016014639.tif 000005
【００３６】
下記（２）式の検知対象化合物は可視光により変色は観られないが、紫外光により青色の発色が確認されている。
【００３７】
【化４】
2016014639.tif 000006
【００３８】
なお、第一、第二の抽出液６ａ、６ｂは異なる化学式の無極性溶剤であっても、同じ化学式の無極性溶剤であってもよい。
吸着体３から変色体９に化合物が移行する時間を短縮させるためには、吸着体３と、変色体９と、第二の抽出液６ｂとを第二の容器１ｂの中に入れて振とうするとよい。
【００３９】
また、本発明の変色体９には、粉体状で白色の珪藻土や、粉体状で白色のアルミナを用いることができる。
また、第一、第二の抽出液６ａ、６ｂには、ヘキサンの他、ペンタンやヘプタン等の無極性溶媒を用いることができる。
【実施例】
【００４０】
下記化合物群１〜１０で表される１乃至複数の化合物を含有する植物様の個体を試験片２０とし、この試験片２０と疎水性濾紙である吸着体３とを、ヘキサンから成る第一の抽出液６ａに入れて混合し、吸着体３に試験片２０に含有される一又は複数の化合物を付着させた。
【００４１】
【化５】
2016014639.tif 000007
【００４２】
【化６】
2016014639.tif 000008
【００４３】
【化７】
2016014639.tif 000009
【００４４】
【化８】
2016014639.tif 000010
【００４５】
【化９】
2016014639.tif 000011
【００４６】
【化１０】
2016014639.tif 000012
【００４７】
【化１１】
2016014639.tif 000013
【００４８】
【化１２】
2016014639.tif 000014
【００４９】
【化１３】
2016014639.tif 000015
【００５０】
【化１４】
2016014639.tif 000016
【００５１】
また、大麻、茶葉、又はタバコを試験片２０として、ヘキサンから成る第一の抽出液６ａに入れて吸着体３と混合し、試験片２０に含有される化合物を吸着体３に付着させた。
【００５２】
予め粒度６０〜８０メッシュの白色のシリカゲル粒子１００ｇと、３５ｍＬの濃硫酸とを混合し、硫酸をシリカゲル粒子に付着させて変色体９を作成しておき、吸着体３と、変色体９とを、ヘキサンから成る第二の抽出液６ｂに入れて混合し、変色体９に可視光と紫外光のいずれか一方又は両方を照射し、変色体９の色を観察した。
【００５３】
化合物群１〜４のいずれかを含有した試験片２０から抽出された化合物が付着した変色体９は、紫外光を照射しない状態で可視光を照射すると黄色に強く呈色することが観察された。
【００５４】
化合物群５〜１０を含有する試験片、又は、大麻、茶葉、若しくはタバコを試験片として用いた試験片については、可視光照射での呈色は観察されなかった。
【００５５】
また、化合物を付着させていない試験片を用いた場合も可視光照射での呈色は観察されなかった。
【００５６】
下記ＪＷＨ０１８で示される化学物質、
【００５７】
【化１５】
2016014639.tif 000017
【００５８】
を吸着体３に付着させて可視光又は紫外光を照射した場合は、同化学物質を１０μｇを含有させたときには呈色が観察されなかったが、５０μｇを付着させたときには着色が観察された。
【００５９】
また、下記カチノン誘導体(α−ＰＶＰ)である化学物質、
【００６０】
【化１６】
2016014639.tif 000018
【００６１】
については、吸着体３に１ｍｇ付着させて可視光又は紫外光を照射しても呈色は観察されなかった。
【００６２】
次に、可視光と紫外光の両方を照射するか、又は、紫外光だけを照射して発色を観察したところ、いずれの照射についても、化合物群１〜４を含有する試験片については、可視光で黄色を呈色している変色体９では緑色の発光が観察された。化合物群５〜９を含有する試験片については、可視光で黄色を呈色しておらず、白色であった変色体９では、紫外光の照射によって青色の発光が観察された。大麻、茶葉、タバコ、α−ＰＶＰ、カフェインについては、可視光による呈色も、紫外光による発色も観察されなかった。
【００６３】
これらをまとめると、
(１)ナフトイルインドール骨格を有する化合物の場合は、可視光で黄色を呈色し、紫外光で緑色に発光する。
(２)インドール骨格を有するカルボキサミド(carboxamide)が化合物である場合は、可視光での呈色は確認できないが、紫外光が照射されると、青色で発光する。例えばAPICAの場合である。
(３)インドール骨格を有するカルボキシエステル(carboxester)が化合物である場合は、可視光では明確な呈色は観察されないが、紫外光の場合は青色に発光する。例えばQUPICの場合である。
(４)インダゾール骨格を有する化合物の場合は、可視光では呈色が観察されないが、紫外光の場合は青色に発光する。例えばAPINACA,AB-FUBINACA,AB-PINACAである。
(５)ナフトイルインドール骨格を有する化合物に、インドール骨格を有するカルボキサミド化合物や、インドール骨格を有するカルボキシエステル化合物が混在する場合は、可視光での呈色は観察されないが、紫外光では、弱い青色〜青色の発光が観察される。
(６)カチノン誘導体(α−ＰＶＰ等)の場合は、可視光での呈色は観察されず、紫外光での発色も観察されない。
(７)大麻、茶葉、タバコについても、可視光での呈色は観察されず、紫外光での発色も観察されない。
【００６４】
厚生労働省は、薬事法で規制する「指定薬物」と化学構造が類似していれば一括して規制対象とする「包括指定」の導入を決め、 2013年2月20日公布、同年3月22日施行の省令により、合成カンナビノイド類に多くみられる「ナフトイルインドール」を基本骨格とし、分子が結合する位置3カ所を特定して、該当する772種類を指定薬物として包括指定した。
【００６５】
現時点では、ナフトイルインドール骨格を有する合成カンナビノイド、包括指定された「ナフトイルインドール」化合物については、硫酸に接触すると黄色を呈色し、紫外光によって緑色の蛍光を発することがわかっている。従って、これらのナフトイルインドール骨格を有する合成カンナビノイドについては、本発明の明確な検知対象化合物である。
【００６６】
下記化合物、
【００６７】
【化１７】
2016014639.tif 000019
【００６８】
については、薬事法第二条第十四項に規定する指定薬物及び同法第七十六条の四に規定する医療等の用途を定める省令（平成十九年二月二十八日厚生労働省令第十四号、最終改正平成二六年三月六日厚生労働省令第一八号）第１条第１項第１４号，第１６号、第１７号、第５６号に記載された化合物であり、上記式(２)で示されるインダゾール骨格を有するカルボキサミド化合物であり、インダゾール骨格を有するカルボキサミド化合物である合成カンナビノイド（APINACA,AB  PINACA,ADB  FUBINACA等）は、硫酸に接触しても、可視光では呈色しないが、紫外光が照射されると、強い青色の蛍光を発することが確認されている。従って、「インダゾール骨格を有するカルボキサミドタイプの合成カンナビノイド」も、本発明の検知対象化合物に含まれる。
【００６９】
α−ＰHＰＰは基本的にインドール骨格を有していないので、呈色や発光は得られない。また、α−ＰHＰＰの類似物質のα−ＰＶＰでも、同じである。但し、これらの化合物でも、インドール骨格を有するカルボキシエステルタイプの合成カンナビノイドの５F−QUPICが含まれた場合には、紫外線照射で青色に発光する。
【００７０】
インドール骨格を有するカルボキサミド及びカルボキシエステルタイプの合成カンナビノイド（APICA,QUPIC等）については、硫酸に接触しても可視光では呈色しないが、紫外光で青色の蛍光を発することが確認されているので本発明の検知対象化合物に含まれる。
【００７１】
上記例では、硫酸を変色薬として用いたが、硫酸の他、リン酸、塩酸、硝酸のいずれかを変色薬として用いた場合でも、変色体に付着させておき、検知対象化合物を変色体に付着させて変色薬と接触させると、変色体は変色して見えることが確認されている。
硫酸、リン酸、塩酸、硝酸のうち、硫酸とリン酸の変色がはっきりしている。
【００７２】
なお、上述したように、本発明によれば、インドール骨格を有するカルボキサミド化合物を含有する物体を試験片に用いたときに、蛍光によって、そのインドール骨格を有するカルボキサミド化合物を検出することができる。検出可能なインドール骨格を有するカルボキサミド化合物は、例えば、下記(３)式で表すことができる。
【００７３】
【化１８】
2016014639.tif 000020
【００７４】
(R6は、水素原子、ハロゲン原子、炭化水素又は置換基を含む炭化水素であり、R7は、水素原子、炭化水素であり、R8は、水素、炭化水素、又は、ハロゲン原子を置換基に含む炭化水素である)
また、本発明によれば、インドール骨格を有するカルボキシエステル化合物を含有する物体を試験片に用いたときに、蛍光によって、そのインドール骨格を有するカルボキシエステル化合物を検出することができる。検出可能なインドール骨格を有するカルボキシエステル化合物は、例えば、下記(４)式で表すことができる。
【００７５】
【化１９】
2016014639.tif 000021
【００７６】
(R9はキノリンであり、R10は水素原子、ハロゲン原子、又は炭化水素であり、R11は、水素、炭化水素、又は、ハロゲン原子を置換基に含む炭化水素である)
【００７７】
R1が炭化水素、水素、ハロゲン、アルコキシ基の場合は、R1には、例えば、CH3、C2H5、n-C3H7、n-C4H9、n-C5H11、n-C6H13 、-OCH3、-OC2H5、-F、-Cl、-Br、-I、-Hが例示できる。
【００７８】
R2が炭化水素、置換基を含む炭化水素の場合は、R2には、n-C3H7、n-C4H9、n-C5H11、n-C6H13、n-C7H15、n-C8H17 、-CH=CHCH2CH2CH3、 -CH2CH=CHCH2CH3、 -CH2CH2CH=CHCH3、 -CH2CH2CH2CH=CH2 、-(n-C3H6)X、-(n-C4H8)X、-(n-C5H10)X[X=F、Cl、Br、I、CN、OH、OCOCH3 ]が例示できる。
【００７９】
R3が水素、炭化水素の場合は、R3には、H、CH3 が例示できる。
【００８０】
R4が炭化水素、置換基を含む炭化水素の場合は、R4には、Ｎ-（1-アミノ-3，3-ジメチル-1-オキソブタン-2-イル)、１−アダマンチル、Ｎ−（１-アミノ−３−メチル−１−オキソブタン−２−イル）が例示できる。
【００８１】
R5が、炭化水素、フッ化炭化水素の場合は、R5には、５−フルオロペンチル、ペンチル、４−フルオロベンジルが例示できる。
【００８２】
R6が、炭化水素、置換基を含む炭化水素の場合は、R6には、Ｎ-（1-アミノ-3，3-ジメチル-1-オキソブタン-2-イル)、１−アダマンチルが例示できる。
【符号の説明】
【００８３】
１ａ、１ｂ……第一、第二の容器
３……吸着体
６ａ、６ｂ……第一、第二の抽出液
７……ガラス管
９……変色体  
２０……試験片
【図１】
2016014639.tif 000024
【図２】
2016014639.tif 000025
【図３】
2016014639.tif 000026
【図４】
2016014639.tif 000027
【図５】
2016014639.tif 000028
【図６】
2016014639.tif 000029
【図７】
2016014639.tif 000030